(57)【要約】【課題】商品を正面上方から挿入させる容器が上下方向に少くとも２段に形成されるように、背面板の強度を確保して、一枚の折曲げ加工可能なシートから製作される商品陳列箱を提供する。【解決手段】背面板が、正面板３０に対して一方の側面板４０に折目を介して連設された補強用背面板５０と、その側端の折目を介して連設された背面板本体６０とで構成されると共に、少くとも２段目以降の正面板３０の容器正面部３０ａには、その下端の折目を介して容器底面部３３が連設され、その下端には係入片３４が形成され、他方の側面板２０には折目を介して貼着片１０が連設されることにより、背面板本体６０が補強用背面板５０の裏面に折畳まれた状態で正面板３０の背後に折曲げられ、背面板本体６０に形成された切目６４に係入片３４を係入させた箱形状態で、貼着片１０が補強用背面板５０に背後から貼着される。【選択図】図２
2014004284.tif 000002
【特許請求の範囲】
【請求項１】
商品を正面上方から挿入させる容器が、上下方向に少くとも２段に形成されるように、１枚の展開板に、正面板と、その両側端の折目を介して連設され、かつ商品の側部を露出させる切欠部を有する両側の側面板と、その一方の側面板の側端の折目を介して連設される背面板とが形成され、正面板には、上下方向に離間した少なくとも２個の容器正面部が形成されると共に、少なくとも下方から２段目以降の容器正面部には、その下端の折目を介して容器底面部が連設されて、その下端には係入片が形成され、また背面板には、係入片を係入させるように、容器正面部の下端に対応する高さ位置に切目が形成されることにより、両側の側面板を正面板に対して山折し、次いで背面板を正面板の背後に折曲げた状態で係入片を切目に係入させて貼着片による貼着で箱形に組立てられる商品陳列箱において、
背面板が、一方の側面板の側端の折目を介して連設され、かつ正面板の横幅に対応する横幅を有する補強用背面板と、その側端の折目を介して連設され、かつこの補強用背面板の横幅に対応する横幅を有して、係入片を係入させる切目が形成された背面板本体とで構成されると共に、貼着片が他方の側面板の側端に折目を介して連設されることにより、前記背面板本体が前記補強用背面板の裏面に折畳まれた状態で前記正面板の背後に折曲げられ、前記切目に前記係入片が係入された状態で前記貼着片が折曲げられて前記補強用背面板に背後から貼着されることを特徴とする商品陳列箱。
【請求項２】
背面板本体の横方向全域に切目を形成すると共に、前記背面板本体に、その側端の折目を介して前記背面板本体の裏面に折畳まれ、かつ前記切目を上下方向に縦断するひれ部が連設されることを特徴とする請求項１記載の商品陳列箱。
【請求項３】
容器正面部の下端が、正面板の下端に位置すると共に、補強用背面板に、前記正面板の前記下端に横方向に揃う位置の折目を介して容器底面部と、その下端の折目を介して前記容器正面部に対応形状の容器正面カバー部と、その下端の折目を介して前記容器正面カバー部に対応形状の第１のひれ部と、その下端の折目を介して前記容器底面部に対応形状の第２のひれ部とが順に連設されることにより、前記容器底面部を前記容器正面部の背後で水平前方に折曲げた状態で、前記容器正面カバー部、前記第１のひれ部及び前記第２のひれ部が、前記容器正面部、その裏面及び前記容器底面部の上面に対接するように順に折曲げられることを特徴とする請求項１又は請求項２記載の商品陳列箱。
【請求項４】
背面板本体の切目が、展開板の厚みに対応したスリット状に形成されることを特徴とする請求項１乃至請求項３のいずれか記載の商品陳列箱。
【請求項５】
容器に、上面に商品に対応形状の受口が複数個形成されるように１枚の展開板で製作された立体形状の別体の仕切板が装着されることを特徴とする請求項１乃至請求項４のいずれか記載の商品陳列箱。
【請求項６】
展開板が段ボール製であって、組立てられた状態の箱形に、容器正面部、背面板本体及び側面板をカバーするように、前記箱形に対応する形状に１枚の厚紙の展開板で製作された別体のカバー板が装着されることを特徴とする請求項１乃至請求項５のいずれか記載の商品陳列箱。
【発明の詳細な説明】
【技術分野】
【０００１】
本発明は、商品を正面上方から挿入させる容器が、上下方向に少くとも２段に形成されるように、折曲げ加工可能なシートから箱形に製作される商品陳列箱に関するものである。
【背景技術】
【０００２】
特許文献１により、１枚の折曲げ加工可能な厚紙等のシートより製作され、商品を大きく露出させた状態に収納させる１個の容器を備えた直方体状の商品陳列箱が開示され、また特許文献２によれば、同様に１枚のシートより製作され、受口が斜めの容器が両側面に複数段に形成された商品陳列箱も開示されている。さらに、図９及び図１０に示すように、正面上方から商品を挿入し得る受口３０２、３０４を有する容器３０１、３０３が上下方向へ複数段に形成された商品陳列箱も周知となっている。
【０００３】
この商品陳列箱は、図１０に示すように、折曲げ加工可能なシートである１枚の平板状の厚紙の展開板に、正面板３１０と、その両側端の折目３２１、３２２、３３１、３３２を介して連設され、かつ商品の側部を露出させるようにこれらの折目に連続する切欠部３２３、３３３を有する両側の側面板３２０、３３０と、その一方の側面板３３０の側端の折目３４１を介して連設される背面板３４０と、その側端の折目３５１を介して連設される貼着片３５０とが形成されている。
【０００４】
正面板３１０には、上下方向に離間して容器正面部３１１及び容器正面部３１７が形成されると共に、上側の容器正面部３１１には、その上端の折目３１１ａを介してひれ部３１２、下端の折目３１１ｂを介して容器底面部３１３が連設されている。この容器底面部の両側の折目３１３ａ間には、その間の切目３１４により係入片３１５が形成され、さらに折目３１３ａを介してひれ部３１６が連設されている。下側の容器正面部３１７には、上側の折目３１７ａを介してひれ部３１８、下端の折目３１７ｂを介してコの字形の切込み部３１９aを形成された容器底面部３１９が連設されている。側面板３２０、３３０及び背面板3４０には、容器底面部３１９に係合して底面形状を保持する形状の係合片３２９、３３９,３４９が、折目３２８、３３８,３４８を介して連設されている。背面板3４０の容器正面部３１１の折目３１１ｂに対応する高さ位置には、係入片３１５を係入させる切目３４５が形成されている。
【０００５】
組立てに際しては、折目３３１、３３２で側面板３３０を正面板３１０に対して直角状に山折し、折目３４１で背面板3４０を正面板３１０に対面するように山折する。この状態で、折目３１１ｂで容器底面部３１３を水平奥行方向へ折曲げ、さらに折目３１３ａでひれ部３１６を下向きに折曲げ、背後に位置する背面板3４０の切目３４５に係入片３１５を下方から係入させて、背面板3４０の裏面に対接させた状態で容器底面部３１３を保持させると共に、折目３１１ａでひれ部３１２を容器正面部３１１の裏側に折返す。正面板３１７に対しては、折目３１７ｂで容器底面部３１９を水平奥行方向へ折曲げ、さらに側面板３２０も折目３２１、３２２で正面板３１０に対して直角状に山折し、その折目３２８で直角状に山折した係合片３２９及び折目３３８で山折した係合片３３９を容器底面部３１９の底面に対接させた状態で、それぞれの縁部３２７，３３７を容器底面部３１９の上面に係入させ、続いて折目３４８で直角状に前方へ山折した係合片３４９の山形部３４７を係合片３２９、３３９に下方で重ねて切込み部３１９aから容器底面部３１９の上面に係入させる。最後に、折目３５１を介して直角状に前方へ折曲げられた貼着片３５０に、側面板３２０の内面を貼着する。この状態で、ひれ部３１６が側面板３２０、３３０で挟持されて、容器底面部３１３が保持される。
【０００６】
このような組立てにより、図９Ａに示すように、直方体状箱形の商品陳列箱が製作され、上端部を紐で吊す等により保持された状態で、容器３０１、３０３に正面上方から受口３０２、３０４を通して商品を挿入し、その上方部分の正面及び側面を露出させた状態で陳列することができる。
【０００７】
しかしながら、背面板３４０がシート１枚で形成されていることにより、商品重量が増すと、曲げ荷重により背面板３４０がわん曲する問題がある。そこで、図９Ｂに示すように、背面板３４０に対応する形状の１枚或いは２枚貼合わせの展開板に、切目３４５に対する目視窓４０７を穿孔すると共に、その両側部に折目４０１、４０２、４０３を介して３枚のひれ部を連設し、その最端のひれ部を展開板に貼着し、２枚目のひれ部４０４に切込みで形成された貼着片４０５を折返し展開板４００に貼着することにより、両側に三角形状の補強部４０９を形成することにより製作された背面補強板４００を背面板３４０に貼合わせることも行われている。
【先行技術文献】
【特許文献】
【０００８】
【特許文献１】特開２００６−２３２３７０号公報
【特許文献２】特開２０００−１２６００７号公報
【発明の概要】
【発明が解決しようとする課題】
【０００９】
しかしながら、前述のように、別体の背面補強板を商品陳列箱の背面板に重ね合わせて商品の荷重に対する背面板の曲げ強度を向上させようとすると、別体のシートをそれぞれ加工する必要があるだけでなく、互いの位置合わせ及び貼合わせ作業も必要になる。要するに、商品陳列箱の背面板の曲げ強度を確保するには、別体の背面補強板を製作すると共に、その一体化作業も要していた。
【００１０】
本発明は、このような点に鑑みて、商品を正面上方から挿入させる容器が上下方向に少くとも２段に形成されるように、折曲げ加工可能なシートから箱形に製作される商品陳列箱において、一枚の折曲げ加工可能なシートから製作可能にして商品荷重に対する背面板の強度も確保させることを目的とする。
【課題を解決するための手段】
【００１１】
本発明は、この目的を達成するために、商品を正面上方から挿入させる容器が、上下方向に少なくとも２段に形成されるように、１枚の展開板に、正面板と、その両側端の折目を介して連設され、かつ商品の側部を露出させる切欠部を有する両側の側面板と、その一方の側面板の側端の折目を介して連設される背面板とが形成され、正面板には、上下方向に離間した少なくとも２個の容器正面部が形成されると共に、少なくとも下方から２段目以降の容器正面部には、その下端の折目を介して容器底面部が連設されて、その下端には係入片が形成され、また背面板には、係入片を係入させるように、容器正面部の下端に対応する高さ位置に切目が形成されることにより、両側の側面板を正面板に対して山折し、次いで背面板を正面板の背後に折曲げた状態で係入片を切目に係入させて貼着片による貼着で箱形に組立てられる商品陳列箱において、背面板が、一方の側面板の側端の折目を介して連設され、かつ正面板の横幅に対応する横幅を有する補強用背面板と、その側端の折目を介して連設され、かつこの補強用背面板の横幅に対応する横幅を有して、係入片を係入させる切目が形成された背面板本体とで構成されると共に、貼着片が他方の側面板の側端に折目を介して連設されることにより、背面板本体が補強用背面板の裏面に折畳まれた状態で正面板の背後に折曲げられ、切目に係入片が係入された状態で貼着片が折曲げられて補強用背面板に背後から貼着されることを特徴とする。
【００１２】
上記発明において、展開板の厚みの如何に拘らず、背面板本体の強度を確保してその横方向全域に係入片用切目を形成するためには、背面板本体の横方向全域に切目を形成すると共に、背面板本体に、その側端の折目を介して背面板本体の裏面に折畳まれ、かつ切目を上下方向に縦断するひれ部が連設される。
【００１３】
上記発明において、下方から１段目の容器をその強度を確保して正面板の下端に形成するためには、容器正面部の下端が、正面板の下端に位置すると共に、補強用背面板に、正面板の下端に横方向に揃う位置の折目を介して容器底面部と、その下端の折目を介して容器正面部に対応形状の容器正面カバー部と、その下端の折目を介して容器正面カバー部に対応形状の第１のひれ部と、その下端の折目を介して容器底面部に対応形状の第２のひれ部とが順に連設されることにより、容器底面部を容器正面部の背後で水平前方に折曲げた状態で、容器正面カバー部、第１のひれ部及び第２のひれ部が、容器正面部、その裏面及び容器底面部の上面に対接するように順に折曲げられる。
【００１４】
上記発明において、展開板の厚みの如何に拘らず、周辺部分の変形を抑制して切目へ係入片を係入させるためには、背面板本体の切目が、展開板の厚みに対応したスリット状に形成される。
【００１５】
上記発明において、容器に、複数個の商品を整列状態で陳列させるためには、容器に、上面に商品に対応形状の受口が複数個形成されるように１枚の展開板で製作された立体形状の別体の仕切板が装着される。
【００１６】
上記発明において、商品陳列箱がその材質による見栄え低下を改善するためには、展開板が段ボール製であって、組立てられた箱形に、容器正面部、背面板本体及び側面板をカバーするように、箱形に対応する形状に１枚の厚紙の展開板で製作された別体のカバー板が正面から装着される。
【発明の効果】
【００１７】
本発明によれば、背面板が、折重ねられるように補強用背面板と背面板本体とを連設させて構成されることにより、別体の貼合わせ式補強用背面板の製作が不要となり、製作コスト上有利となる。さらに、貼着片が、２枚合わせで補強された背面板に背後から貼着されるために貼着作業も容易となる。
【図面の簡単な説明】
【００１８】
【図１】本発明の実施の形態による商品陳列箱の斜視図である。
【図２】同商品陳列箱を製作するための展開板の正面図である。
【図３】同商品陳列箱の容器に収納される複数商品用の仕切板を示すもので、同図Ａはその斜視図、同図Ｂはその展開板の正面図である。
【図４】別構造の仕切板を示すもので、同図Ａはその斜視図、同図Ｂはその反転状態の斜視図である。
【図５】図４による仕切板の展開板の正面図である。
【図６】別の実施の形態による商品陳列箱の斜視図である。
【図７】図６による商品陳列箱の展開板の正面図である。
【図８】図６による商品陳列箱のカバー板を示すもので、同図Ａはその半組立て状態の斜視図、同図Ｂはその組立て状態の背面図である。
【図９】従来の商品陳列箱を示すもので、同図Ａはその斜視図、同図Ｂはその背面補強板の斜視図である。
【図１０】図９による商品陳列箱の展開板の正面図である。
【発明を実施するための形態】
【００１９】
図１及び図２を基に本発明の実施の形態の一例による商品陳列箱を説明する。この容器３０Ａ、３０Ｂを上下方向２段に有する図１による商品陳列箱は、図２に示すように、上下方向、つまり縦方向の折目１１と、両側の側端で縦方向に同一線上に揃った両側の折目２１、２１a及び４１、４１aと、順に縦方向に形成された折目５１、６１、７１とを介して、貼着片１０と、一方の側面板２０と、上下方向に離間して縦方向に位置が揃う上下２段の容器正面部３０a、３０ｂを形成する正面板３０と、他方の側面板４０と、正面板３０の横幅に対応する横幅の補強用背面板５０と、これに同じ横幅の背面板本体６０と、ひれ部７０とを順に連設させるように形成された１枚の厚紙の展開板から直方体状に組立てて製作される。即ち、背面板は、補強用背面板５０と、折目６１を介して連設される背面板本体６０とで構成される。貼着片１０、側面板２０、４０、補強用背面板５０、背面板本体６０の下端位置は、商品陳列箱の下端位置を規定するように、横方向に揃っている。
【００２０】
容器正面部３０aの上方には、その上端の折目３１ａを介して対応形状のひれ部３１及びその上端の折目３２ａを介して後述の容器底面部に対応形状のひれ部３２が上方へ向けて連設されている。容器正面部３０ａの下方には、その下端の折目３３ａを介して容器底面部３３及びその下端の折目３４ａを介して係入片３４が下方へ向けて連設されると共に、容器底面部３３の両側には、それぞれ斜めの切目３３ｂ、折目３３ｃを介してひれ部３３Ｂ、３３Ｃが連設されている。
【００２１】
容器正面部３０ｂの上方には、その上端の折目３６ａを介して、また係入片３４間の切目３７で分離されて、容器正面部３０ｂに対応形状のひれ部３６が連設されている。容器正面部３０ｂの下方には、下端の折目３８ａを介して容器底面部３８及びその下端の折目３９ａを介して係入片３９が下方へ向けて連設されると共に、容器底面部３８の両側には、それぞれ斜めの切目３８ｂ、折目３８ｃを介してひれ部３８Ｂ、３８Ｃが連設されている。折目３８ａの高さ位置は、係入片３９の縦幅分だけ、商品陳列箱の下端位置よりも上方へ変位した位置に設定されると共に、ひれ部３８Ｂ、３８Ｃの横幅は、係入片３９の縦幅に対応している。また、容器底面部３３、３８の展開時の縦幅は、側面板２０、４０の横幅に対応するように設定されている。
【００２２】
側面板２０、４０には、組立てた状態で、商品の側方を露出させ得るように、容器正面部３０ａの折目３１ａの両側端から容器正面部３０ａに対して徐々に離間して直線状に上昇する切欠部２２，４２がそれぞれ形成されている。さらに、これらの側面板には、容器底面部３３の両側の切目３３ｂに連続して、容器正面部３０ｂの上端の折目３６ａに至る円弧状の切欠部２３，４３が形成されている。
【００２３】
背面板本体６０における容器正面部３０ａ、３０ｂの下端の折目３３ａ、３８ａにそれぞれ対応する高さ位置には、係入片３４、３９を係入させる切目６４，６５が、係入作業を容易にし、かつ周辺部分の背面板本体６０及び側面板２０、４０の変形を抑制し得るように、厚紙よりも僅かに幅広のスリット状に横幅全域にわたり形成されている。背面板本体６０は切目６４，６５で分離されるが、これらの切目を上下方向に縦断するひれ部７０により互いに連結され、かつ補強される。尚、前述の各折目は、谷折側より線状にプレスされて形成される。
【００２４】
このように形成された展開板は商品陳列箱として次のように組立てられる。背面板本体６０の裏面にひれ部７０を折目７１で折返した状態で、背面板本体６０を折目６１でひれ部７０を挟込んだ状態で補強用背面板５０の裏面に折畳み、さらに側面板４０を折目４１、４１ａで正面板３０に対して直角状に山折りすると共に、前述のように折畳まれた背面板本体６０を折目５１で折曲げて正面板３０の背後に対面させる。続いて、容器正面部３０ａに対して、容器底面部３３をひれ部３３Ｂ、３３Ｃを谷折させつつ折目３３ａで奥行水平方向へ直角状に折曲げ、係入片３４を折目３４ａで下方へ折曲げて、切目６４に下方へ向けて係入する。容器正面部３０ｂについても、容器底面部３８をひれ部３８Ｂ、３８Ｃを谷折させつつ折目３８ａで奥行水平方向へ直角状に折曲げ、係入片３９を折目３９ａで下方へ折曲げて、切目６５に下方へ向けて係入する。これにより、係入片３４、３９は、背面板本体６０及び補強用背面板５０間に一方の側部ではひれ部７０も介在して挟持された状態となる。
【００２５】
さらに、側面板２０を折目２１、２１ａで正面板３０に対して直角状に山折することにより、容器底面部３３、３８は、水平位置を占めて側面板２０、４０の横幅に対応する奥行幅を伴い、また容器正面部３０ａ、３０ｂは背面板本体６０に対して平行に離間状態となって対面して直方体状となり、貼着片１０を折目１１で補強用背面板５０の背後に折曲げ、その背面に貼着することにより商品陳列箱が組立てられる。その際、貼着片１０は背面板本体６０との２枚合わせで強化された補強用背面板５０に背後から貼着するために、正確な位置精度で簡単に貼着できる。また、ひれ部３１、３２を所属の折目で折曲げて容器正面部３０ａの裏面及び容器底面部３３の上面に折り重ねてこれらを補強し、ひれ部３６は容器正面部３０ｂの裏側に折返されてこれを補強し、ひれ部３３Ｂ、３３Ｃ、３８Ｂ、３８Ｃもそれぞれ下方へ折曲げられて側面板２０、４０に曲げ弾性で圧接してこれらを補強する。係入片３４、３９が切目６４、６５に下方へ向けて係入されることにより、それぞれの下側の縁部において容器底面部２３、３８は、その横幅全域で確実に保持される。
【００２６】
このように組立てられた商品陳列箱は、各部の上端部に穿孔された３個のひも孔７２，７３，７４及び７５，７６，７７が両側で連通状態に重なり、紐が通されて両側で吊下げられて保持される。この状態で、容器３０Ａ、３０Ｂに商品が正面上方から挿入可能になり、商品の重量で背面板本体６０に曲げ荷重が生じたとして補強用背面板５０との２枚重ねにより、背面板のわん曲が抑制される。
【００２７】
容器３０Ａ，３０Ｂには、対応形状の種々の商品を挿入陳列させることができるが、それぞれに複数個を整列状態で挿入陳列させたい場合がある。図３は、容器３０Ａ，３０Ｂ内に装着される商品の３個の受口を備えた箱形状の別体の仕切板８０を示すもので、同図Ｂに示すように、背面板８１と、折目８１aを介して底面板８２と、折目８２ａを介して正面板８３と、横方向へ変位した受口形成板８４とが連設されるように形成された１枚の厚紙の展開板から製作される。それぞれの横幅は容器３０Ａ，３０Ｂの横幅より多少狭く、底面板８２の奥行幅は、容器底面部３３、３８の形状よりも多少狭く設定されている。
【００２８】
受口形成板８４及び正面板８３の上方部分には、仕切部８０Ａ，８０Ｂを形成するように、縦方向の折目８６、８６ａ及び縦方向に一直線の折目８７、８７ａと、これらの折目を同一縦幅に分離する斜め直線状の切目８８及びこれに平行に斜めの切目８８ａ、８８ｂが形成されている。これにより、同図Ａに示すように、正面板８３に対して折目８２ａで底面板８２を奥行方向へ直角状に山折し、次いでこの底面板に対して折目８１ａで背面板８１を上方へ直角状に山折して正面板８３に対面するように箱形の立体形状を形成させる。続いて、正面板８４の上方に位置する受口形成板８４を、同図Ｂで見て左横方向へスライドさせつつ仕切部８０Ａ，８０Ｂを一方の折目８６、８７ａを支点として奥行方向へ回動させて背面板８１の上端近辺に位置付けすることにより、仕切部８０Ａ，８０Ｂが正面板８４に対してほぼ直交状態となり、３個の受口８０ａ、８０ｂ、８０cが形成される。
【００２９】
図４及び図５は、図３による仕切板８０をさらに発展させて反転により２種類の受口を用意できる別の箱形状の仕切板９０を示すもので、直線状に連続する折目９１ａ及び切目９１ｂと、切目９２ｂ及び折目９２ｃとをそれぞれ介して、円形受口９０ａが２列に６個穿孔され、かつ対象の商品陳列箱の容器底面に対応形状の本体板９１と、４辺形状の受口９０ｂを６個形成するように折曲げられる折曲げ板９２と、箱形形状を固定するための形状固定板９７とが連設されるように形成された１枚の厚紙の展開板から製作される。箱形立体状に組立てられるように、後述の側面板９１Ｅ、９１Ｆを除いた本体板９１、折曲げ板９２及び形状固定板９７の縦幅は互いに同一に設定されると共に、折曲げ板９２の横幅は、図示の平板状の展開状態では本体板９１よりも広く設定されている。
【００３０】
折曲げ板９２の縦幅の２等分線上には、順に切目９３、折目９４、切目９３ａが形成されると共に、その上下の半分体９２Ａ、９２Ｂの縦幅の２等分線上には、それぞれ切目９５、９５ａが形成されている。これらの半分体には、切目９３、９５及びこれらに直角の折目９６、９６ａで囲まれた長方形状の仕切側面部９６Ａと、切目９１ｂ、９５、折目９６ｂ、９６ｃによる仕切側面部９６Ｂと、切目９３ａ、９５ａ、折目９６ｄ、９６ｅによる仕切側面部９６Ｃと、切目９２ｂ、９５ａ、折目９６ｆ、９６ｇによる仕切側面部９６Ｄとが、互いに同一形状に形成されている。
【００３１】
形状固定板９７は、縦幅の２等分線の上下に半分体９７Ａ、９７Ｂが形成されると共に、この２等分線上には、順に折目９８、切目９９、折目９８ａが形成されている。切目９９の位置及び横幅は、本体板９１の縦幅の２等分線上の中間位置において折目９１ｃ及び両側の切目９１ｄで形成された係入片９１Ａが係入されるように設定されている。
【００３２】
形状固定板９７の半分体９７Ａには、本体板９１の下側３個の円形受口９０ａと同一間隔で同一形状の円形受口９０ｃが３個穿孔されている。本体板９１の両側には、折目９１ｅ、９１ｆを介して側面板９１Ｅ、９１Ｆが連設されている。
【００３３】
仕切板９０の組立方法を図４Ａを参照して説明する。形状固定板９７の半分体９７Ｂを折目９８、９８ａで直角状に半分体９７Ａに対して山折し、半分体９７Ａも折目９２ｃて折曲げ板９２に対して直角状に山折しておく。次いで、仕切側面部９６Ａ、９６Ｂ、９６Ｃ、９６Ｄが所属の折目９６、９６ｂ、９６ｄ、９６ｇを支点として、図５で見て裏側へ回動して４辺形の受口形状が形成されるように、折曲げ板９２の半分体９２Ｂを図５で見て左方へ本体板９１の横方向位置に揃うようにスライドさせる。
【００３４】
続いて、半分体９２Ｂを折目９４で半分体９２Ａに対して山折して対面させる過程で、これらの半分体間に半分体９７Ｂを挿入し、最終的に半分体９２Ａを折目９１aで本体板９１に対して直角状に山折して、係入片９１Ａを切目９９に係入すると共に、３個の円形受口９０ｃを本体板９１の下端側３個の円形受口９０ａに本体板９１の裏面で揃えることにより、形状固定板９７の半分体９７Ｂが折曲げ板９２の半分体９２Ａ、９２Ｂ間に挟持され、図４Ａに示すように、方形状の受口９０ｂを６個を形成する仕切板９０が箱形状に組立てられる。この仕切板を反転すると、図４Ｂに示すよう、本体板９１が上面となって、円形受口９０ａが６個用意される。尚、上下で隣合う仕切側面部９６Ａ、９６Ｂ及び仕切側面部９６Ｃ、９６Ｄの折目９６a、９６ｂ及び折目９６ｅ、９６ｇの横方向の位置が互いに僅かにずれているが、商品形状によっては、それぞれ所属の切目９５、９５aの２分割位置に互いに揃えることにより４辺形状の受口を正確な正方形状にすることもできる。
【００３５】
図６及び図７は、シートとして段ボールを用いた別の実施の形態を商品陳列箱を示すもので、容器１３０Ａ、１３０Ｂを上下２段に形成するこの商品陳列箱は、図７に示すように、縦方向の折目１１１と、上下方向、つまり縦方向に同一線上に揃った両側端の折目１２１、１２１a及び折目１４１、１４１aと、縦方向の折目１５１、１６１とをそれぞれ介して、貼着片１１０と、一方の側面板１２０と、間隔を置いて縦方向に位置が揃う上下２段の容器正面部１３０a、１３０ｂを形成する正面板１３０と、他方の側面板１４０と、正面板１３０の横幅に対応する横幅の補強用背面板１５０と、同じ横幅を有し、かつ容器正面部１３０ａの下端位置に対応の高さ位置に段ボールの厚みに相当する幅のスリット状切目１６２が横方向全域に形成されて、上下の背面板上部１６０ａ及び背面板下部１６０ｂに分割された背面板本体１６０とが連設されるように形成された１枚の段ボールの展開板から製作される。即ち、前述の商品陳列箱と同様に背面板は、補強用背面板１５０と、背面板本体１６０とで構成されるが、後述するように、１段目の容器１３０Ｂは、正面板１３０の下端に位置すると共に、その容器底面部は補強用背面板１５０により形成される。
【００３６】
容器正面部１３０aの上方には、その上端の折目１３１ａを介して対応形状のひれ部１３１及びその上端の折目１３２ａを介して容器底面部に対応形状のひれ部１３２が上方へ向けて連設されている。容器正面部１３０ａの下方には、その下端の折目１３３ａを介して容器底面部１３３及びその下端の折目１３４ａを介して前述の切目１６２に係入される係入片１３４が下方へ向けて連設されると共に、容器底面部１３３の両側には、折目１３３ａの両端から斜めに切目１３３ｄが形成されることにより、両側の折目１３３ｂを介して三角形状のひれ部１３８、１３９が連設されている。
【００３７】
側面板１２０、１４０には、商品陳列箱として組立てた状態で、商品の側方を露出させ得るように、容器正面部１３０ａの折目１３１ａの両端から容器正面部１３０ａに対して徐々に離間して直線状に上昇する切欠部１２２，１４２が形成されている。また、これらの側面板には、容器正面部１３０ａの下端の折目１３３ａ及び容器正面部１３０ｂの上端間にも切目１３３ｄ含めて徐々に離間して直線状になる切欠部１２３，１４３が形成されている。さらに、側面板１２０、１４０には、それぞれ折目１２４、１４４を介してひれ部１２５、１４５が連設されている。容器正面部１３０aのひれ部１３２及び容器底面部１３３の縦幅は、直方体形状に組立てられるように、展開状態の側面板１２０、１４０の横幅に対応している。
【００３８】
補強用背面板１５０には、正面板１３０の下端位置、即ち商品陳列箱の下端位置の折目１５２を介して容器底面部１３３に対応する形状の容器底面部１７０と、その折目１７１を介して容器正面部１３０ｂの正面をカバーするための対応形状の容器正面カバー部１７２と、その折目１７３を介してこの容器正面カバー部に対応形状のひれ部１７４と、その折目１７５を介して容器底面部１７０に対応形状のひれ部１７６とが、順に補強用背面板１５０と同一横幅で連設されている。貼着片１１０、正面板１３０及び背面板本体１６０の下端位置並びに折目１２４，１４４，１５２は、商品陳列箱の下端位置に対応して横方向へ揃っている。
【００３９】
尚、補強用背面板１５０には、図８を基に後述する別体のカバー板の係入片２２０を係入させる係入溝１５５が、両側の上下方向３個所に穿孔されている。
【００４０】
このように形成された展開板は、商品陳列箱として次のように組立てられる。上下２枚に切目１６２を介して分離された背面板本体１６０を折目１６１で背面板本体１５０の裏面に折畳んだ状態で、折目１４１、１４１aで側面板１４０も正面板１３０に対して直角状に山折して背面板本体１６０を折目１５１での折曲げで正面板１３０の背後に位置付けする。次いで、容器底面部１３３を、その両側のひれ部１３８、１３９を谷折して折目１３３ａで容器正面部１３０aに対して水平奥行き方向へ折曲げ、さらに折目１３４ａで係入片１３４を直角状に下方へ折曲げ、背面板本体１６０の切目１６２に下方に向けて係入する。これにより、係入片１３４は背面板本体１６０の背面板下部１６０ｂ及び補強用背面板１５０間に挟持される。ひれ部１３１は、折目１３１ａで容器正面部１３０aの裏面に折畳んで、折目１３２ａでひれ部１３２を直角状に折曲げて容器底面部１３３の補強用としてその上面に折重ねる。
【００４１】
１段目の容器正面部１３０ｂに対しては、折目１２１、１２１aで側面板１２０を正面板１３０に直角状に山折し、側面板１２０、１４０のひれ部１２５、１４５を折目１２４、１４４で底面位置に直角状に折曲げる。続いて、折目１５２で容器底面部１７０を直角状に水平前方にへ折曲げ、容器正面カバー部１７２を折目１７１で容器正面部１３０ｂに対接するように折曲げると共に、折目１７３、１７５でひれ部１７４を容器正面部１３０の背面、ひれ部１７６を底面位置に在るひれ部１２５、１４５を挟持した状態で容器底面部１７０の上面にそれぞれ折重ねる。最終的に貼着片１１０を折目１１１で背面板本体１５０背面に折曲げて貼着し、図６に示す商品陳列箱が組立てられる。この貼着作業は、背面板が２枚重ねで補強されていることにより背後から正規の位置に簡単に行える。容器底面部１３３は、係入片１３４が下向きに係入されて補強用背面板１５０間に挟持された状態で、背面板本体１６０の背面板下部１６０ｂの上縁に確実に保持される。
【００４２】
この陳列箱は、このように組立てられた商品陳列箱は、図示の両側の互いに連通する紐孔に紐が通されて吊下げられるが、特にダンボール製の場合、高さに対する底面形状の大きさによっては、据置き式に製作することもできる。
【００４３】
図８は、図６の段ボール製商品陳列箱の見栄えを改善するために、白地の厚紙で製作されたカバー板１８０Ａを示すもので、同様に１枚の白地厚紙の展開板から製作される。即ち、半組み立て状態の図８Ａに示すように、容器正面部１３０ａ、１３０ｂに対応する位置及び形状の正面カバー部１８４、１８５並びに背面板１６０の正面視で露出部分に対応する形状の背面カバー部１８６、１８７を形成する正面板１８０と、展開状態で縦方向に連続する上下２本の折目１９５、１９５ａ、１９５ｂ、１９５ｃを介して両側の側面カバー板１９０と、折目２０１を介して両側のひれ部２１０とが、正面板１８０の縦方向の対称軸線に対して両側に対称形状に連設されるように形成されている。
【００４４】
正面板１８０は、切目１８１、１８２、１８３を介して互いに分離されて正面カバー部１８４，１８５及び背面カバー部１８６，１８７を形成する。側面カバー板１９０は、その横幅２等分線上の上下２本の折目１９６、１９６ａ及び斜めに連続する切目１９１、１９２、１９３で囲まれた上下２枚の内側カバー部１９７及びその残り部分の外側カバー部１９８で構成される。これらのカバー部は、折目１９６、１９６ａで折畳まれた状態で両側の側面板１２０、１４０に対応の横幅に設定されている。両側のひれ部２１０の側端には、両側３個づつの係入片２２０が突設されている。
【００４５】
これにより、図８Ａに示すように、内側カバー部１９７及び外側カバー部１９８を山折することにより、正面カバー部１８４、１８５を前方へ突出させて、図６の商品陳列箱に正面から装着し、次いで図８Ｂに示すように、ひれ部２１０を折目２０１で背面板本体１５０の両側の背後に折曲げて、その６個所の係入溝１５５に係入片２２０を係入して商品陳列箱に保持させる。
【００４６】
尚、前述の双方の商品陳列箱につき、補強用背面板及びこれに連設の背面板本体は、図２及び図７において正面板に対して右側の側面板から右横方向へ連設することもできる。容器は、商品の縦幅に対応する間隔を置いて２段目と同様な形状を展開板に形成することにより、３段以上に形成することもできる。
【符号の説明】
【００４７】
１０、１１０  貼着片
２０、４０、１２０、１４０  側面板
２２、２３、４２、４３、１２２，１２３、１４２、１４３  切欠部
３０、１３０  正面板
３０Ａ、３０Ｂ、１３０Ａ、１３０Ｂ  容器
３０ａ、３０ｂ、１３０a、１３０ｂ  容器正面部
３３、３８、１３３、１７０  容器底面部
３４、３９、１３４  係入片
５０、１５０  補強用背面板
６０、１６０  背面板本体
６４，６５、１６２  係入片用の切目
７０  背面板本体の上下連結用のひれ部
８０、９０  仕切板
１８０Ａ  カバー板
【図１】
2014004284.tif 000003
【図２】
2014004284.tif 000004
【図３】
2014004284.tif 000005
【図４】
2014004284.tif 000006
【図５】
2014004284.tif 000007
【図６】
2014004284.tif 000008
【図７】
2014004284.tif 000009
【図８】
2014004284.tif 000010
【図９】
2014004284.tif 000011
【図１０】
2014004284.tif 000012